(57)【要約】【課題】  地域による放送チャンネルの違いを意識することなく自宅のビデオに容易に録画指示可能な手段を提供する。【解決手段】  テレビ放送受信中に、スイッチ７により自宅のビデオレコーダへの録画操作が行われると、ＣＰＵ８は、位置情報とチャンネルテーブルから受信中のテレビ局を割り出し、メモリ９に格納されているチャンネルテーブルを参照して受信中のチャンネルに相当する自宅のテレビ局（チャンネル）を自宅地域のチャンネルテーブルから割り出す。そして、無線部３を使って自宅のビデオレコーダのＩＰアドレスと、割り出した自宅地域のチャンネル情報及び録画開始指示を基地局２に送信する。基地局２はインターネット網を使って自宅にあるビデオレコーダに、チャンネル情報と録画開始指示を送る。自宅のビデオレコーダはこのチャンネル情報と録画開始指示を受信して当該チャンネルの受信と録画を開始する。【選択図】  図１
2005197884.tif 000002
【特許請求の範囲】
【請求項１】
無線携帯端末と、インターネットプロバイダと、所定の地域に設置されていて前記インターネットプロバイダに常時接続され、前記無線携帯端末からの録画指示に従ってテレビ放送番組の録画を行うことが可能なテレビ録画装置とを備えた無線携帯端末による録画指示システムにおいて、
前記無線携帯端末は、現在の自無線携帯端末の位置を検出する位置検出機能と、各地域におけるテレビ放送チャンネルを系列局と関連付けて記憶したチャンネルテーブルと、前記テレビ録画装置に対して前記インターネットを介して録画指示を行う機能と、現在位置している地域における受信可能なテレビ放送チャンネルと該テレビ放送チャンネルの録画指示が指定されたとき、前記位置検出機能により検出された位置情報と前記チャンネルテーブルを参照することにより、前記指定されたテレビ放送チャンネルの系列局を割り出し、該割り出した系列局から前記テレビ録画装置が設置されている所定の地域における前記系列局のテレビ放送チャンネルを割り出すテレビ放送チャンネル割り出し機能と、録画指示情報と前記割り出されたテレビ放送チャンネル情報を、現在位置している地域の基地局を経由して前記所定の地域に設置されたテレビ録画装置に送信する送信機能とを備えていることを特徴とする無線携帯端末による録画指示システム。
【請求項２】
前記録画指示機能付無線携帯端末は、テレビ受信機能を備えており、該テレビ受信機能により受信中のテレビ番組の録画指示を行う機能と、該テレビ受信機能により受信中のテレビ番組の録画指示を受けて、前記テレビ録画装置に対して当該テレビ番組の録画指示情報を送信する機能を備えていることを特徴とする請求項１に記載の無線携帯端末による録画指示システム。
【請求項３】
前記無線携帯端末は、当該無線端末が位置するエリアの基地局から送信される情報から当該無線携帯端末の位置を検出する前記位置検出機能を備えていることを特徴とする請求項１または２に記載の無線携帯端末による録画指示システム。
【請求項４】
前記無線携帯端末は、ＧＰＳ受信機能と、該ＧＰＳ受信機能により受信した情報から当該無線携帯端末の位置を検出する前記位置検出機能を備えていることを特徴とする請求項１または２に記載の無線携帯端末による録画指示システム。
【請求項５】
前記テレビ録画装置は、前記携帯端末ユーザーの自宅に設置されていることを特徴とする請求項１〜４のいずれかに記載の無線携帯端末による録画指示システム。
【請求項６】
無線携帯端末が現在位置している地域において受信可能なテレビ放送チャンネルを、所定の地域に設置されているテレビ録画装置に対して無線通信により録画指示を行う録画指示方法において、
前記無線携帯端末に対して現在位置している地域において受信可能なテレビ放送チャンネルと該テレビ放送チャンネルの録画指示が指定されたとき、該無線携帯端末が備える位置検出機能および各地域におけるテレビ放送チャンネルを系列局と関連付けて記憶したチャンネルテーブルから、前記指定されたテレビ放送チャンネルの系列局と前記テレビ録画装置が設置されている所定の地域における前記系列局のテレビ放送チャンネルを割り出し、該割り出したチャンネル情報及び録画開始情報を前記所定の地域に設置されているテレビ録画装置に送信して録画指示を行うことを特徴とする無線携帯端末による録画指示方法。
【請求項７】
前記無線携帯端末はテレビ受信機能を備えており、該テレビ受信機能により受信中のテレビ番組の録画指示が行われたとき、前記テレビ録画装置に対して当該テレビ番組の録画指示情報が送信されることを特徴とする請求項６に記載の無線携帯端末による録画指示方法。
【請求項８】
前記無線携帯端末は、当該無線端末が位置するエリアの基地局から送信される情報から当該無線携帯端末の位置を検出することを特徴とする請求項６または７に記載の無線携帯端末による録画指示方法。
【請求項９】
前記無線携帯端末は、当該無線端末が備えているＧＰＳ受信機によりその位置を検出することを特徴とする請求項６または７に記載の無線携帯端末による録画指示方法。
【請求項１０】
前記テレビ録画装置はインターネットプロバイダを介してインターネットに常時接続されており、前記無線携帯端末から送信された録画指示情報は、当該無線携帯端末が現在位置する地域の基地局に送信され、該基地局から前記インターネットプロバイダを介して前記テレビ録画装置に送信されることを特徴とする請求項６〜９のいずれかに記載の無線携帯端末による録画指示方法。
【請求項１１】
前記テレビ録画装置は、前記携帯端末ユーザーの自宅に設置されていることを特徴とする請求項６〜１０のいずれかに記載の無線携帯端末による録画指示方法。
【請求項１２】
無線携帯端末の現在の位置を検出する位置検出機能と、
各地域におけるテレビ放送チャンネルを系列局と関連付けて記憶したチャンネルテーブルと、
所定の地域に設置されたテレビ録画装置に対して無線通信により録画指示を行う機能と、
現在位置している地域における受信可能なテレビ放送チャンネルと該テレビ放送チャンネルの録画指示が指定されたとき、前記位置検出機能により検出された位置情報と前記チャンネルテーブルを参照することにより、前記指定されたテレビ放送チャンネルの系列局を割り出し、該割り出した系列局から前記テレビ録画装置が設置されている所定の地域における前記系列局のテレビ放送チャンネルを割り出すテレビ放送チャンネル割り出し機能と、
録画指示情報と前記テレビ放送チャンネル割り出し機能により割り出されたテレビ放送チャンネル情報を、現在位置している地域の基地局を経由して前記所定の地域に設置されたテレビ録画装置に送信する送信機能と、
を備えていることを特徴とする録画指示機能付無線携帯端末。
【請求項１３】
前記録画指示機能付無線携帯端末は、テレビ受信機能を備えており、該テレビ受信機能により受信中のテレビ番組の録画指示を行う機能と、該テレビ受信機能により受信中のテレビ番組の録画指示を受けて、前記テレビ録画装置に対して当該テレビ番組の録画指示情報を送信する機能を備えていることを特徴とする請求項１２に記載の録画指示機能付無線携帯端末。
【請求項１４】
前記無線携帯端末は、当該無線端末が位置するエリアの基地局から送信される情報から当該無線携帯端末の位置を検出する前記位置検出機能を備えていることを特徴とする請求項１２または１３に記載の録画指示機能付無線携帯端末。
【請求項１５】
前記無線携帯端末は、ＧＰＳ受信機能と、該ＧＰＳ受信機能により受信した情報から当該無線携帯端末の位置を検出する前記位置検出機能を備えていることを特徴とする請求項１２または１３に記載の録画指示機能付無線携帯端末。
【請求項１６】
前記無線携帯端末は、携帯電話機としての機能を備えていることを特徴とする請求項１２〜１５のいずれかに記載の録画指示機能付無線携帯端末。
【発明の詳細な説明】
【技術分野】
【０００１】
本発明は、自宅に設置されているテレビ録画装置に対して、遠隔地から録画もしくは録画予約を指示する録画指示システム、方法および無線携帯端末に関する。
【背景技術】
【０００２】
ユーザーが遠隔地から携帯無線電話機により自宅等に設置されているビデオレコーダ等のテレビ録画装置に対してテレビ番組の録画予約を行うことを可能にするシステムが、特許文献１、２等に開示されている。
【０００３】
特許文献１記載の録画予約システムでは、ユーザー所望のテレビ番組を録画予約するように録画予約のための処理内容が携帯電話機からインターネットを介して録画予約管理サーバに対して設定されると、録画予約管理サーバがかかる処理内容に基づく録画予約処理の実行をビデオテープレコーダに対して命令し、ビデオテープレコーダが当該命令に従って携帯電話機により設定された処理内容に基づく録画予約処理を実行するとともに、ビデオテープレコーダにより録画予約されたテレビ番組の録画が行われる。
【０００４】
上記録画予約管理サーバには、放送日及び放送チャンネル毎に分類された録画予約テレビ番組表がＷｅｂページとして保持されており、インターネットに接続されている携帯電話機から特定の放送日及び放送チャンネルの録画予約テレビ番組表のＷｅｂページが要求されると、これを要求元である携帯電話機に提供する。
【０００５】
また上記ビデオテープレコーダは、ＩＳＰ（Internet Service Provider）等のインターネット接続業者を介してインターネットに常時接続されており、当該インターネットを介して上記録画予約管理サーバと種々のデータ通信を行い得るようになっている。なお、ビデオテープレコーダには固有のＩＰ（Internet Protocol）アドレスが予め割り当てられており、インターネットにおける当該ビデオテープレコーダが特定され得るようになされている。
【０００６】
しかし、特許文献１記載の録画予約システムでは、インターネット上に接続された録画予約管理サーバ経由でビデオテープレコーダの予約制御を行う関係上、録画予約管理サーバとの間で録画予約を実行するための契約を締結する必要があり、余計な費用がかかるという問題がある。
【０００７】
一方、特許文献２には、携帯電話機を用いてＶＴＲ等を遠隔制御する携帯電話リモコンシステムが記載されており、携帯電話機上でＶＴＲの録画予約等を設定し、該設定したデータを、無線通信回線を介して送信し、この信号をＶＴＲの近くあるいはＶＴＲに内蔵されたリモコン制御装置で受信することにより、設定された処理内容に基づく録画予約処理が実行される。
【０００８】
【特許文献１】特開２００３−２０４４９８号公報
【特許文献２】特開平１１−２８４７５７号公報
【発明の開示】
【発明が解決しようとする課題】
【０００９】
特許文献２に記載の携帯電話リモコンシステムによれば、インターネット上の録画予約サーバを利用しなくても、携帯電話機により無線通信回線を介して直接ＶＴＲの録画予約等の制御を実行することが可能である。また特許文献２では、携帯電話機と被制御対象であるＶＴＲは比較的近距離に位置していることを前提としており、例えばＶＴＲで録画予約するテレビ番組のチャンネルをユーザーが直接設定しても特に問題は生じない。
【００１０】
しかし、ユーザーが自宅から遠く離れた地域（例えば自宅が東京で、現在静岡に出張中等）でテレビを観賞している場合、現在鑑賞中のテレビ番組を、自宅のビデオレコーダに録画するために携帯電話機により録画予約しようとしても、一般に現在鑑賞中のテレビ番組の放送チャンネルはこの２つの地域で異なっており、またどの系列局のテレビ番組であるか分からなければ、録画予約すべき放送チャンネルを指定することができないという問題がある。
【００１１】
また、ユーザーが自宅から遠く離れた地域で、その地域の新聞のテレビ番組欄を見て所望の番組を自宅のビデオレコーダで録画する場合においても、同様の問題が生ずる。
【００１２】
本発明の目的は、上記問題点に鑑み、遠隔地から携帯電話機により自宅のビデオレコーダにテレビ番組の録画指示する場合に、地域による放送チャンネルの違いを意識することなく容易に録画指示可能な手段を提供することにある。
【課題を解決するための手段】
【００１３】
本発明は、無線携帯端末と、インターネットプロバイダと、所定の地域（自宅）に設置されていて前記インターネットプロバイダに常時接続され、前記無線携帯端末からの録画指示に従ってテレビ放送番組の録画を行うことが可能なテレビ録画装置とを備えた無線携帯端末による録画指示システムにおいて、前記無線携帯端末が、現在の自無線携帯端末の位置を検出する位置検出機能と、各地域におけるテレビ放送チャンネルを系列局と関連付けて記憶したチャンネルテーブルと、前記テレビ録画装置に対して前記インターネットを介して録画指示を行う機能と、現在位置している地域における受信可能なテレビ放送チャンネルと該テレビ放送チャンネルの録画指示が指定されたとき、前記位置検出機能により検出された位置情報と前記チャンネルテーブルを参照することにより、前記指定されたテレビ放送チャンネルの系列局を割り出し、該割り出した系列局から前記テレビ録画装置が設置されている所定の地域における前記系列局のテレビ放送チャンネルを割り出すテレビ放送チャンネル割り出し機能と、録画指示情報と前記割り出されたテレビ放送チャンネル情報を、現在位置している地域の基地局を経由して前記所定の地域に設置されたテレビ録画装置に送信する送信機能とを備えていることを特徴とする。
【００１４】
また、本発明の録画指示方法は、無線携帯端末が現在位置している地域において受信可能なテレビ放送チャンネルを、所定の地域に設置されているテレビ録画装置に対して前記無線携帯端末から無線通信による録画指示を行うと、該無線携帯端末が備える位置検出機能および各地域におけるテレビ放送チャンネルを系列局と関連付けて記憶したチャンネルテーブルから、前記指定されたテレビ放送チャンネルの系列局と、前記テレビ録画装置が設置されている所定の地域における前記系列局のテレビ放送チャンネルを割り出し、録画開始情報と前記割り出したチャンネル情報を、インターネットを介して前記所定の地域に設置されているテレビ録画装置に送信して録画指示することを特徴とする。
【００１５】
また、本発明の録画指示機能付無線携帯端末は、無線携帯端末の現在の位置を検出する位置検出機能と、各地域におけるテレビ放送チャンネルを系列局と関連付けて記憶したチャンネルテーブルと、所定の地域に設置されたテレビ録画装置に対して無線通信を介して録画指示を行う機能と、現在位置している地域における受信可能なテレビ放送チャンネルと該テレビ放送チャンネルの録画指示が指定されたとき、前記位置検出機能により検出された位置情報と前記チャンネルテーブルを参照することにより、前記指定されたテレビ放送チャンネルの系列局を割り出し、該割り出した系列局から前記テレビ録画装置が設置されている所定の地域における前記系列局のテレビ放送チャンネルを割り出すテレビ放送チャンネル割り出し機能と、録画指示情報と前記割り出されたテレビ放送チャンネル情報を、現在位置している地域の基地局を経由して前記所定の地域に設置されたテレビ録画装置に送信する送信機能とを備えていることを特徴とする。
【発明の効果】
【００１６】
本発明によれば、位置情報とチャンネルテーブルから現在視聴中のテレビ局（系列局）を割り出し、自宅地域のチャンネルテーブルと参照させる事により、自宅地域における当該系列局のチャンネルを割り出す事ができるので、ユーザーは、視聴中のテレビ番組の系列局を知らなくても現在視聴中のチャンネル番号をそのまま入力するだけの簡単な操作で自宅のビデオ（ＤＶＤ）に録画を行う事が可能になる。
【発明を実施するための最良の形態】
【００１７】
図１は、本発明の実施形態を示す無線携帯端末のブロック図であり、テレビ受信部も備えた構成とした例を示している。
【００１８】
図１において、制御部４には、本携帯無線端末１全体を統括的に制御するＣＰＵ８と、制御用の各種プログラムが格納されたＲＯＭおよびワークエリア等に用いられるＲＡＭを含むメモリ９が設けられている。また、メモリ９には、各地域におけるテレビ放送チャンネル情報が、テレビ放送局系列と関連付けられて記憶されたチャンネルテーブルが格納されている。
【００１９】
無線携帯端末１は基地局２から送信される位置情報を無線部３により受信し、受信した位置情報を制御部４で解析する事により、現在位置（地域）を知ることができる。一方、テレビ受信部５により受信されたテレビ番組は表示部６により表示され、その地域におけるテレビ放送番組を観賞することができる。
【００２０】
テレビ放送受信中に、スイッチ７により自宅のビデオレコーダ（ＤＶＤ等）への録画操作が行われると、制御部４のＣＰＵ８は、位置情報とチャンネルテーブルから現在視聴中のテレビ局を割り出し次に、メモリ９に格納されている上記チャンネルテーブルを参照することによりこの受信中のチャンネルに相当する自宅のテレビ局（チャンネル）を自宅地域のチャンネルテーブルから割り出す。なお自宅地域は予めメモリ上に指定しておく。
【００２１】
次にＣＰＵ８は、無線部３を使って自宅のビデオレコーダのＩＰアドレスと、上記割り出した自宅地域のチャンネル情報および録画開始指示を基地局２に送信する。基地局２はインターネット網を使って自宅にあるビデオレコーダ（ＤＶＤ）に、チャンネル情報と録画開始指示を送る。自宅のビデオレコーダはこのチャンネル情報と録画開始指示を受信することにより、当該チャンネルの受信と録画を開始する。
【００２２】
これにより、遠隔地において本実施形態の無線携帯端末でテレビを視聴しているユーザーが、現在視聴中のテレビ番組を自宅のビデオレコーダ（ＤＶＤ）に録画したいと思った時、現在視聴中のテレビ番組の自宅地域における放送チャンネル番号を知らなくても、スイッチ７による簡易な操作方法によって録画指示を行うだけで、自宅のビデオレコーダ（ＤＶＤ）により現在視聴中のテレビ番組の録画を行う事が可能となる。
【００２３】
図２は、本実施形態においてメモリ９に格納されるチャンネルテーブルの一部を示している。実際のチャンネルテーブルは、例えば、日本中の全ての地域におけるチャンネル情報を格納したものとして構成されるが、ここでは系列局の一例として（αテレビ系列、βテレビ系列、γテレビ系列、δテレビ系列、εテレビ系列）の５つの系列局がある場合について説明する。
【００２４】
東京地区には（東京、八王子・・・）などの地域があり、それぞれの地域に系列局毎にチャンネル（周波数）が割り当てられている。例えば東京地区でも、東京のαテレビ系列に割り当てられているのは４ｃｈであるが、八王子のαテレビ系列に割り当てられているのは３５ｃｈである。また、静岡地区にも（静岡、浜松・・・）などの地域がありそれぞれの地域に異なるチャンネルが割り当てられている。
【００２５】
また、チャンネル数には限りがある為、オーバーラップしていない地域においては、同じチャンネル（周波数）が割り当てられている。例えば八王子のαテレビ系列と、静岡のγテレビ系列と、久里浜のδテレビ系列は、同じ３５ｃｈが割り当てられている。通常、無線携帯端末１に装着されるテレビ受信部５はオートスキャン機能を有している。これは全てのチャンネルをスキャンし、その地域で放送されているチャンネルを探す機能で、これによりユーザーはその地域におけるチャンネルを知らなくてもテレビを見る事が可能となる。
【００２６】
従って、このオートスキャン機能により３５ｃｈが受信されている状態であっても、八王子ならαテレビ系列が選択され、静岡ならγテレビ系列が選択されていることになるので、受信チャンネル情報だけでは系列局を特定できない。そこで本実施形態では、無線携帯端末１は基地局２から送信される位置情報を無線部３により受信し、無線部３で受信した位置情報とテレビ受信部５で受信しているチャンネル情報とから系列局を特定する構成となっている。
【００２７】
図３は、テレビチャンネルの割り当てられる地域と、無線携帯端末１のエリア（位置情報）との関係を示している。
【００２８】
テレビチャンネルの割り当てられる地域の一例として、（東京、八王子、小田原、久里浜、静岡、浜松）が示されており、無線携帯端末による通信エリアとしてエリアＡ〜エリアＲが示されている。ここで、例えばテレビチャンネルの東京地域には無線携帯端末による通信エリアＡ、エリアＢ、エリアＣがほぼ同じ地域として対応しているものとし、その他の地域についても図に示したような対応関係になっているものとする。
【００２９】
仮に、エリアＤにいるユーザーが３５ｃｈのテレビ番組を観賞していて、この番組を、エリアＮにある自宅１１のビデオレコーダ（ＤＶＤ）１２に録画するために録画ボタン（スイッチ７の１つ）を押した場合、無線携帯端末１の無線部３は位置情報としてエリアＤを受信しているので、八王子地域に居ることが検出される。ＣＰＵ８はメモリ９に格納されているチャンネルテーブル（八王子）から受信中の３５ｃｈはαテレビ系列であることが識別される。
【００３０】
一方、自宅１１のエリアＮ（静岡地域）はあらかじめ無線携帯端末１のメモリに登録されているので、自宅エリアＮのチャンネルテーブル（静岡地域）からαテレビ系列は３１ｃｈであることが検出される。無線携帯端末１はチャンネル情報（３１ｃｈ）と録画開始指示をビデオレコーダのＩＰアドレスとともに基地局２に送信し、それを受け取った基地局２はインターネットプロバイダ１０を使ってインターネット接続された自宅１１にあるビデオレコーダ（ＤＶＤ）１２にチャンネル情報（３１ｃｈ）と録画開始指示を送る。
【００３１】
図４は、本実施形態の無線携帯端末の動作を示すフローチャートである。以下、図１〜図４を参照して本実施形態の動作について詳細に説明する。
【００３２】
携帯無線端末１のテレビ受信部５によりその地域で受信可能な放送チャンネルのテレビ番組を受信しているときに、スイッチ７により録画開始が選択される（ステップ１０）と、無線部３で受信された無線携帯端末１の位置情報Ａを取得し（ステップ１１）、次にこの位置情報Ａに対応するチャンネルテーブルＢ（現在視聴中の地域に対応したテーブル）を取得する（ステップ１２）。一方、テレビ受信部５から、現在視聴中のテレビ番組のチャンネル情報Ｃを取得する（ステップ１３）。
【００３３】
取得したチャンネルテーブルＢとチャンネル情報Ｃから現在視聴中の系列局Ｄを取得する（ステップ１４）。次に、自宅エリアのチャンネルテーブルＥ（ユーザーがあらかじめ設定しておく）を取得し（ステップ１５）、チャンネルテーブルＥと系列局Ｄから、自宅で録画したい番組のチャンネル情報Ｆを取得する（ステップ１６）。このようにして得られたチャンネル情報Ｆと録画開始情報を、自宅のビデオレコーダのＩＰアドレスとともに基地局２に送信する（ステップ１７）。
【００３４】
以上の動作により、自宅のビデオレコーダ（ＤＶＤ）は、無線携帯端末１から送信されたチャンネル情報Ｆと録画開始情報を受信し、ユーザーが無線携帯端末１のテレビ受信部５で受信して観賞しているテレビ番組を録画することが可能となる。
【００３５】
上記実施形態では、無線携帯端末１は位置情報を基地局２からの送信された情報から得ているが、無線携帯端末１にＧＰＳ受信機を搭載することにより、位置情報を得る構成としてもよい。また、カーナビゲーションシステムにテレビ受信部を搭載した装置において、ＧＰＳにより位置情報を割り出し、カーナビゲーションシステムに装着された無線端末により、自宅のビデオレコーダ（ＤＶＤ）に対して録画要求を行う様な構成とすることもできる。
【００３６】
また上記実施形態では、テレビ受信部を備えた無線携帯端末をその対象としているが、この無線携帯端末１は、テレビ受信部を備えた携帯電話機として実現することができる。その場合、無線部３は通常の携帯電話機が備える無線部として構成される。また、スイッチ７による録画指示の動作は通常の携帯電話機が備えるキーボードにより行うことができる。
【００３７】
さらに、テレビ受信部を備えていない携帯電話機等の無線携帯端末に対しても本発明を適用することができる。例えば、ユーザーが旅行あるいは出張等により自宅から遠く離れた地域で、その地域の新聞のテレビ番組欄を見たときに、その中の所望の番組を自宅のビデオレコーダで録画したい場合等が考えられるが、そのとき携帯電話機に本発明の録画指示手段が備えられていれば、携帯電話機から自宅のビデオレコーダに対して旅行あるいは出張先の新聞等に載っているテレビ番組欄で見つけたテレビ番組を、自宅のビデオレコーダで録画することが可能になる。
【００３８】
その場合には、携帯電話機のキーボードにより録画予約モードを設定し、その地域の新聞等に載っている所望の番組のチャンネル情報と放送時間を設定すると、携帯電話機内の制御部が、内部メモリに格納されている前記のチャンネルテーブルから自宅地域における当該番組の放送チャンネルを検出し、該検出した自宅地域における当該番組の放送チャンネル情報と設定された放送時間情報とを、ユーザーの送信指示に従って、自宅のビデオレコーダのＩＰアドレスとともに基地局２に送信する。
【００３９】
これを受け取った基地局２はインターネットプロバイダ１０を使ってインターネット接続された自宅１１にあるビデオレコーダ（ＤＶＤ）１２に自宅地域における当該番組の放送チャンネル情報と設定された放送時間情報を送ることにより録画予約を実施する。自宅１１にあるビデオレコーダ（ＤＶＤ）１２は放送時間になるとビデオレコーダ（ＤＶＤ）５の電源を投入して、指示された放送チャンネルを選択して録画を開始する。
【図面の簡単な説明】
【００４０】
【図１】本発明の実施形態を示す無線携帯端末のブロック図である。
【図２】本実施形態におけるメモリに格納されているチャンネルテーブルの例を示す図である。
【図３】本実施形態を説明するための概略図である。
【図４】本実施形態の動作を示すフローチャートである。
【符号の説明】
【００４１】
１  無線携帯端末
２  基地局
３  無線部
４  制御部
５  テレビ受信部
６  表示部
７  スイッチ
８  ＣＰＵ
９  メモリ
１０  インターネットプロバイダ
１１  自宅
１２  ビデオ（ＤＶＤ）
【図１】
2005197884.tif 000003
【図２】
2005197884.tif 000004
【図３】
2005197884.tif 000005
【図４】
2005197884.tif 000006